【手続補正書】
【提出日】平成19年9月13日(2007.9.13)
【手続補正１】
【補正対象書類名】明細書
【補正対象項目名】特許請求の範囲
【補正方法】変更
【補正の内容】
【特許請求の範囲】
【請求項１】  無線信号を受信し、かつディジタルデータ信号を出力することであって、前記ディジタルデータ信号が複数のパイロット信号を含み、前記受信することがＲＦ段が作動状態にあるときに実行されることと、
複数の検索結果を連続順に得ることであって、前記複数の検索結果の各々が、前記ディジタルデータ信号から得られることと、
前記複数の検索結果を処理することと、を具備し、
前記複数の検索結果を得ることは、前記ＲＦ段が作動状態にあるときに実行されるとともに、前記複数の検索結果を処理することは、前記ＲＦ段が不作動状態にあるときに実行されることを特徴とする方法。
【請求項２】  前記方法が、複数の検索パラメータをデータメモリからサーチャに直接転送して前記複数の検索結果を得ることをさらに含み、前記複数の検索パラメータが複数のコードオフセットを含み、前記複数のコードオフセットの各々が前記パイロット信号の中の１つに対応し、
前記複数の検索結果を得ることが前記複数の検索パラメータに従って生じることを特徴とする請求項１記載の方法。
【請求項３】  前記方法が、前記複数の検索結果をデータメモリに転送することをさらに含み、
前記複数の検索結果を転送することが前記複数の検索結果を処理する前に生じることを特徴とする請求項１記載の方法。
【請求項４】  前記方法が、
複数の検索パラメータをデータメモリからサーチャに直接転送して前記複数の検索結果を得ることであって、前記複数の検索パラメータが複数のコードオフセットを含み、前記複数のコードオフセットの各々が前記パイロット信号の中の１つに対応することと、
前記複数の検索結果をデータメモリに転送することと、をさらに含み、
前記複数の検索結果を得ることが前記複数の検索パラメータに従って生じ、
前記複数の検索結果を転送することが前記複数の検索結果を処理する前に生じることを特徴とする請求項１記載の方法。
【請求項５】  前記複数の検索パラメータを転送することおよび前記複数の検索結果を転送することのうちの少なくとも１つがダイレクトメモリアクセスコントローラによって制御されることを特徴とする請求項４記載の方法。
【請求項６】  前記複数の検索結果の各々が、前記パイロット信号の前記対応する１つの強度の大きさを含むことを特徴とする請求項４記載の方法。
【請求項７】  前記複数の検索パラメータを転送することおよび前記複数の検索結果を転送することのうちの少なくとも１つがダイレクトメモリアクセスコントローラによって制御されることを特徴とする請求項６記載の方法。
【請求項８】  無線信号を受信し、かつディジタルデータ信号を出力することであって、前記ディジタルデータ信号が複数のパイロット信号を含み、前記受信することがＲＦ段が作動状態にあるときに実行されることと、
前記ディジタルデータ信号を受信し、かつ複数の検索結果を連続順に出力することであって、前記複数の検索結果の各々が前記複数のパイロット信号の中の１つに対応することと、
前記複数の検索結果を処理することと、を具備し、
前記複数の検索結果の第１の検索結果の前記処理が、前記ＲＦが不作動状態にあるときに生じ、前記第１の検索結果が、前記複数の検索結果の中の他の検索結果よりも連続順においてより前であることを特徴とする方法。
【請求項９】  前記方法が、複数の検索パラメータをデータメモリからサーチャに直接転送して前記複数の検索結果を得ることをさらに含み、前記複数の検索パラメータが複数のコードオフセットを含み、前記複数のコードオフセットの各々が前記パイロット信号の中の１つに対応し、
前記複数の検索結果を得ることが前記複数の検索パラメータに従って生じることを特徴とする請求項８記載の方法。
【請求項１０】  前記方法が、前記複数の検索結果をデータメモリに転送することをさらに含み、
前記複数の検索結果を転送することが前記複数の検索結果を処理する前に生じることを特徴とする請求項８記載の方法。
【請求項１１】  前記方法が、
複数の検索パラメータをデータメモリからサーチャに直接転送して前記複数の検索結果を得ることであって、前記複数の検索パラメータが複数のコードオフセットを含み、前記複数のコードオフセットの各々が前記パイロット信号の中の１つに対応することと、
前記複数の検索結果をデータメモリに転送することと、をさらに含み、
前記複数の検索結果を得ることが前記複数の検索パラメータに従って生じ、
前記複数の検索結果を転送することが前記複数の検索結果を処理する前に生じることを特徴とする請求項８記載の方法。
【請求項１２】  前記複数の検索パラメータを転送することおよび前記複数の検索結果を転送することの中の少なくとも１つが直接メモリアクセスコントローラによって制御されることを特徴とする請求項１１記載の方法。
【請求項１３】  前記複数の検索結果の各々が、前記パイロット信号の前記対応する１つの強度の大きさを含むことを特徴とする請求項１１記載の方法。
【請求項１４】  前記複数の検索パラメータを転送することおよび前記複数の検索結果を転送することの中の少なくとも１つが直接メモリアクセスコントローラによって制御されることを特徴とする請求項１３記載の方法。
【請求項１５】  無線信号を受信し、かつディジタルデータ信号を出力する受信ユニットであって、前記ディジタルデータ信号が複数のパイロット信号を含み、前記受信ユニットのＲＦ段が作動状態と不作動状態とを有する受信ユニットと、
複数の検索結果を連続順に出力するサーチャであって、前記複数の検索結果の各々が前記ディジタルデータから得られるサーチャと、
前記複数の検索結果を受信し、かつ処理する処理ユニットと、を具備し、
前記サーチャは、前記受信ユニットの前記ＲＦ段が前記作動状態にあるときに、前記複数の検索結果を出力するとともに、前記処理ユニットは、前記受信ユニットの前記ＲＦ段が前記不作動状態にあるときに、前記複数の検索結果を処理することを特徴とする装置。
【請求項１６】  前記装置が、
複数の検索パラメータを前記処理ユニットから受信するデータメモリをさらに含み、
前記サーチャは、前記複数の検索パラメータに従って前記複数の検索結果を取得し、前記複数の検索パラメータが複数のコードオフセットを含み、前記複数のコードオフセットの各々が前記パイロット信号の１つに対応することを特徴とする請求項１５記載の装置。
【請求項１７】  前記装置が、
前記複数の検索結果を記憶するデータメモリをさらに含み、
前記複数の検索結果を記憶することが、前記複数の検索結果を受信し、かつ処理する前に生じることを特徴とする請求項１５記載の装置。
【請求項１８】  前記装置が、
複数の検索パラメータを前記処理ユニットから受信するデータメモリをさらに含み、
前記サーチャが、前記複数の検索パラメータに従って前記複数の検索結果を取得し、前記複数の検索パラメータが複数のコードオフセットを含み、前記複数のコードオフセットの各々が前記パイロット信号の中の１つに対応し、かつ
前記複数の検索結果を記憶することが、前記複数の検索結果を受信し、かつ処理する前に生じることを特徴とする請求項１５記載の装置。
【請求項１９】  前記複数の検索パラメータを受信することおよび前記複数の検索結果を記憶することの中の少なくとも１つが直接メモリアクセスコントローラによって制御されることを特徴とする請求項１８記載の装置。
【請求項２０】  前記複数の検索結果の各々が、前記パイロット信号の前記対応する１つの強度の大きさを含むことを特徴とする請求項１８記載の装置。
【請求項２１】  前記複数の検索パラメータを受信することおよび前記複数の検索結果を記憶することの中の少なくとも１つが直接メモリアクセスコントローラによって制御されることを特徴とする請求項２０記載の装置。
【請求項２２】  無線信号を受信し、かつディジタルデータ信号を出力する受信ユニットであって、前記ディジタルデータ信号が複数のパイロット信号を含み、前記受信ユニットのＲＦ段が作動状態および非作動状態を有する受信ユニットと、
前記ディジタルデータ信号を受信し、かつ複数の検索結果を連続順に出力するサーチャであって、前記複数の検索結果の各々が複数のパイロット信号の１つに対応するサーチャと、
前記複数の検索結果を処理する処理ユニットと、を具備し、
前記処理ユニットが、前記受信ユニットの前記ＲＦ段が前記非作動状態にあるときに前記複数の検索結果の第１の検索結果を処理し、前記第１の検索結果は、前記複数の検索結果の中の他の検索結果よりも連続順においてより前であることを特徴とする装置。
【請求項２３】  前記装置が、
複数の検索パラメータを前記処理ユニットから受信するデータメモリをさらに含み、
前記サーチャが、前記複数の検索パラメータに従って前記複数の検索結果を取得し、前記複数の検索パラメータが複数のコードオフセットを含み、前記複数のコードオフセットの各々が前記パイロット信号の中の１つに対応することを特徴とする請求項２２記載の装置。
【請求項２４】  前記装置が、
前記複数の検索結果を記憶するデータメモリをさらに含み、
前記複数の検索結果を記憶することが、前記複数の検索結果を受信し、かつ処理する前に生じることを特徴とする請求項２２記載の装置。
【請求項２５】  前記装置が、
複数の検索パラメータを前記処理ユニットから受信し、かつ前記複数の検索結果を記憶するデータメモリをさらに含み、
前記サーチャが、前記複数の検索パラメータに従って前記複数の検索結果を取得し、前記複数の検索パラメータが複数のコードオフセットを含み、前記複数のコードオフセットの各々が前記パイロット信号の中の１つに対応し、かつ
前記複数の検索結果を記憶することが、前記複数の検索結果を受信し、かつ処理する前に生じることを特徴とする請求項２２記載の装置。
【請求項２６】  前記複数の検索パラメータを受信することおよび前記複数の検索結果を記憶することの中の少なくとも１つが直接メモリアクセスコントローラによって制御されることを特徴とする請求項２５記載の装置。
【請求項２７】  前記複数の検索結果の各々が、前記パイロット信号の前記対応する１つの強度の大きさを含むことを特徴とする請求項２５記載の装置。
【請求項２８】  前記複数の検索パラメータを受信することおよび前記複数の検索結果を記憶することの中の少なくとも１つが直接メモリアクセスコントローラによって制御されることを特徴とする請求項２７記載の装置。